(57)【要約】【課題】ファンクションボタンに触れるとその機能が表示されるようにする。【解決手段】第４ファンクションボタン（Ｆ４）に指で軽く触れると、第１ファンクションボタン（Ｆ１）、第２ファンクションボタン（Ｆ２）、第３ファンクションボタン（Ｆ３）、第４ファンクションボタン（Ｆ４）、第５ファンクションボタン（Ｆ５）、および第６ファンクションボタン（Ｆ６）の各々の機能を表す文字列が表示された図形が、実際のファンクションボタンの配置と対応して表示される。その際、指で触れられているファンクションボタンが例えばハイライト表示されるなどして強調表示される。【選択図】図９
2007228454.tif 000002
【特許請求の範囲】
【請求項１】
機器を遠隔制御するリモートコントロール装置であって、
各種データおよびコマンドを入力するための入力手段と、
各種情報を表示する表示手段と、
前記入力手段を構成する所定のボタンが操作されたとき、前記ボタンに対応する機能を前記表示手段に表示させる機能表示制御手段と
を備えることを特徴とするリモートコントロール装置。
【請求項２】
機器を遠隔制御するリモートコントロール装置であって、
前記機器に対して各種機能の実行を指示するための複数のファンクションボタンと、
各ファンクションボタンの所定のものが第１の方法および第２の方法のいずれの方法で操作されたかを判定する判定手段と、
前記判定手段によって前記ファンクションボタンの所定のものが前記第１の方法で操作されたと判定された場合、前記第１の方法で操作された前記ファンクションボタンの所定のものの機能を表す表示データを生成する生成手段と、
前記生成手段によって生成された前記表示データを表示する表示手段と
を備えることを特徴とするリモートコントロール装置。
【請求項３】
前記第１の方法とは、各ファンクションボタンを指で触れる方法であり、前記第２の方法は、各ファンクションボタンを押下する方法である
ことを特徴とする請求項１または２に記載のリモートコントロール装置。
【請求項４】
前記ファンクションボタンは、半押しおよび全押しが可能とされ、前記第１の方法は、前記ファンクションボタンを半押しする方法であり、前記第２の方法は、前記ファンクションボタンを全押しする方法である
ことを特徴とする請求項１または２に記載のリモートコントロール装置。
【請求項５】
前記表示手段は、前記生成手段によって生成された前記表示データを、前記ファンクションボタンが操作されてから所定の時間だけ表示する
ことを特徴とする請求項１乃至４のいずれかに記載のリモートコントロール装置。
【発明の詳細な説明】
【技術分野】
【０００１】
本発明は、オーディオ・ビジュアル機器（以下、「ＡＶ機器」と略する。）や家庭電化製品（以下、「家電機器」と略する。）等の複数の機器を遠隔操作可能なリモートコントロール装置に関する。
【背景技術】
【０００２】
従来、リモコンから制御対象とする被制御装置に対して、表示情報の要求を行うと、被制御装置のＲＯＭに予め格納されている表示情報が読み出され、リモコン側へ送信され、表示情報に対応する複数のファンクションキーに対応した機能を示す画面が液晶表示器に表示され、液晶表示器に表示された画面に基づいて機能を選択し、その機能に対応するファンクションキーを押下することにより、被制御装置を制御することができるようにしたものがある（例えば、特許文献１参照）。
【特許文献１】特開２００５−１０１８８７号公報
【発明の開示】
【発明が解決しようとする課題】
【０００３】
しかしながら、特許文献１の発明では、ファンクションキー（ファンクションボタン）に対応する機能を示すガイド画面を表示する機能はなく、ファンクションボタンに予め対応付けられた機能を選択して実行させる前にその機能を知ることはできなかった。
本発明は、このような状況に鑑みてなされたものであり、ファンクションボタンに触れるだけで、そのファンクションボタンに対応付けられている実行可能な機能を表示させることができるようにするものである。
【課題を解決するための手段】
【０００４】
上記課題を解決するために、請求項１に記載の発明は、機器を遠隔制御するリモートコントロール装置に係り、各種データおよびコマンドを入力するための入力手段と、各種情報を表示する表示手段と、前記入力手段を構成する所定のボタンが操作されたとき、前記ボタンに対応する機能を前記表示手段に表示させる機能表示制御手段とを備えることを特徴とする。
また、請求項２に記載の発明は、機器を遠隔制御するリモートコントロール装置に係り、  前記機器に対して各種機能の実行を指示するための複数のファンクションボタンと、各ファンクションボタンの所定のものが第１の方法および第２の方法のいずれの方法で操作されたかを判定する判定手段と、前記判定手段によって前記ファンクションボタンの所定のものが前記第１の方法で操作されたと判定された場合、前記第１の方法で操作された前記ファンクションボタンの所定のものの機能を表す表示データを生成する生成手段と、前記生成手段によって生成された前記表示データを表示する表示手段とを備えることを特徴とする。
また、請求項３に記載の発明は、請求項１または２に記載のリモートコントロール装置に係り、前記第１の方法とは、各ファンクションボタンを指で触れる方法であり、前記第２の方法は、各ファンクションボタンを押下する方法であることを特徴とする。
また、請求項４に記載の発明は、請求項１または２に記載のリモートコントロール装置に係り、前記ファンクションボタンは、半押しおよび全押しが可能とされ、前記第１の方法は、前記ファンクションボタンを半押しする方法であり、前記第２の方法は、前記ファンクションボタンを全押しする方法であることを特徴とする。
また、請求項５に記載の発明は、請求項１乃至４のいずれかに記載のリモートコントロール装置に係り、前記表示手段は、前記生成手段によって生成された前記表示データを、前記ファンクションボタンが操作されてから所定の時間だけ表示することを特徴とする。
【発明の効果】
【０００５】
本発明によれば、ファンクションボタンに触れるだけで、そのファンクションボタンに対応付けられている実行可能な機能を表示させることができる。
【発明を実施するための最良の形態】
【０００６】
図１は、本発明の実施の形態に係るリモートコントロール装置において操作ユニット２が本体に収納された状態における外観構成を示す図、図２は、図１に示すリモートコントロール装置において操作ユニット２が使用可能な状態における外観構成を示す図、図３は、図１に示すリモートコントロール装置において操作ユニット２が使用可能な状態における外観構成を示す図である。図１〜図３において、各（ａ）は平面図、各（ｂ）は対応する（ａ）の左側面図、各（ｃ）は対応する（ａ）の右側面図である。
【０００７】
本実施の形態に係るリモートコントロール装置は、本体１と、操作ユニット２とから概略構成されている。本体１は、上部本体１ａと、下部本体１ｂとから構成されており、上端部と下端部で互いに接続されている。操作ユニット２は、上部本体１ａと下部本体１ｂとの間に形成された空間（以下、「収納空間」と称する。）１ｃに収納可能に構成されている。上部本体１ａは、平面より見た全体形状が略矩形状を呈しているが、中央よりやや上端部寄りの位置で長軸に対称にややくびれたくびれ部１ａａが形成されている。また、上部本体１ａは、下端部が丸みを帯びている。さらに、上部本体１ａ及び下部本体１ｂの上端部には、図示しないが、赤外線パルスの制御信号（以下、「リモコン信号」と称する。）を出射する発光ダイオード（ＬＥＤ：Light Emitting Diode）が取り付けられており、半透明な合成樹脂製のカバー３が嵌合されている。
【０００８】
上部本体１ａには、図１（ａ）、図２（ａ）及び図３（ａ）に示すように、上端部近傍の図中左から右に向かって一列に順に、電源ボタン１１、入力切換ボタン１２、画面表示ボタン１３、消音ボタン１４が並んで設けられている。電源ボタン１１は、後述するリモコンモード時に押下されるたびに、ＡＶ機器や家電機器等、本実施の形態に係るリモートコントロール装置により遠隔操作可能な複数の機器のうち、選択されている機器の電源のオン／オフが指示されるボタンである。また、電源ボタン１１は、本実施の形態においては、押下されることにより、上記複数の機器の電源を連続して操作することが可能な連続電源操作モードへの遷移が指示可能である。入力切換ボタン１２は、選択されている機器の複数の入力端子に複数の外部機器がそれぞれ接続されている場合、押下されるたびに、対応する入力端子からの信号の入力を許可する外部機器の切換を指示されるボタンである。画面表示ボタン１３は、選択されている機器が表示部を有している場合、押下されることにより、当該表示部に選局中のチャンネルのチャンネルサイン等の表示が指示されるボタンである。消音ボタン１４は、選択されている機器が音声出力部を有している場合、押下されるたびに、当該音声出力部からの音声出力の一時停止と、一時停止解除とが交互に指示されるボタンである。
【０００９】
また、上部本体１ａには、図１（ａ）、図２（ａ）及び図３（ａ）に示すように、上記電源ボタン１１から長手方向下端部側に所定距離離れて第１ファンクションボタン（Ｆ１）１５が設けられているとともに、上記消音ボタン１４から長手方向下端部側に所定距離離れて第２ファンクションボタン（Ｆ２）１６が設けられている。第１ファンクションボタン（Ｆ１）１５は、押下されることにより当該コマンドボタンに表示されている機能の実行が指示されるボタンである。
【００１０】
第２ファンクションボタン（Ｆ２）１６は、押下されることにより当該コマンドボタンに表示されている機能の実行が指示されるボタンである。
【００１１】
上部本体１ａのくびれ部１ａａの略中央には、図１（ａ）、図２（ａ）及び図３（ａ）に示すように、ジョイスティック１７が設けられている。ジョイスティック１７は、本体１の平面に対して上方向、下方向、左方向、右方向あるいは斜め方向に傾けられることにより、上記液晶パネル５８又は選択されている機器が表示部を有している場合の当該表示部に表示されている複数のコマンドボタンや選択項目等（以下、「コマンドボタン等」と略する。）のうち、傾けられた方向に存在するコマンドボタン等にフォーカスが移動されて当該コマンドボタン等に対応した機能の選択等が指示され、本体１の厚さ方向に押下されることにより選択されているコマンドボタンに対応した機能の実行や選択項目の選択等が指示されるポインティングデバイスである。
【００１２】
ここで、フォーカスについて説明する。表示画面に複数のボタンやテキストボックス等が表示されている場合、これらのうち、入力を受け付けることができるのは１つだけであるが、その入力を受け付ける状態になっていることをフォーカスを持つという。あるボタン等がフォーカスを持っているか否かは、コマンドボタンの場合には破線で囲まれたり、ハイライト表示になる、テキストボックスの場合には内部でカーソルが点滅する、ドロップダウンリストボックスの場合にはメニューが選択反転する、などにより判断することができる。
【００１３】
さらに、ジョイスティック１７の左上部外周に接して略円弧状を呈した第３ファンクションボタン（Ｆ３）２２が、ジョイスティック１７の右上部外周に接して略円弧状を呈した第４ファンクションボタン（Ｆ４）２３がそれぞれ設けられている。同様に、ジョイスティック１７の左下部外周に接して略円弧状を呈した第５ファンクションボタン（Ｆ５）２４が、ジョイスティック１７の右下部外周に接して略円弧状を呈した第６ファンクションボタン（Ｆ６）２５がそれぞれ設けられている。
【００１４】
第３ファンクションボタン（Ｆ３）２２は、押下されることにより当該コマンドボタンに表示されている機能の実行が指示されるボタンである。
【００１５】
第４ファンクションボタン（Ｆ４）２３は、押下されることにより当該コマンドボタンに表示されている機能の実行が指示されるボタンである。
【００１６】
第５ファンクションボタン（Ｆ５）２４は、押下されることにより当該コマンドボタンに表示されている機能の実行が指示されるボタンである。
【００１７】
第６ファンクションボタン（Ｆ６）２５は、押下されることにより当該コマンドボタンに表示されている機能の実行が指示されるボタンである。
【００１８】
また、図１（ａ）、図２（ａ）及び図３（ａ）において、第５ファンクションボタン（Ｆ５）２４及び第６ファンクションボタン（Ｆ６）２５の下部には、これらを囲むように、図中左から右に向かって順に、機器ボタン２６、青色ボタン２７、赤色ボタン２８、緑色ボタン２９、黄色ボタン３０が並んで設けられている。機器ボタン２６は、押下されることにより、後述するリモコンモードと後述する機器選択モードとの間の遷移が指示されるボタンである。青色ボタン２７、赤色ボタン２８、緑色ボタン２９及び黄色ボタン３０は、カラーボタン３１を構成しており、選択されている機器がデジタル放送を受信可能な機器である場合、デジタル放送の電子番組表（ＥＰＧ：Electronic Program Guide）やデータ番組の操作に用いられたり、後述する機器選択モードにおいて機器ボタン２６が押下された後の所定時間内に押下されることにより対応した機器の電源オン／オフの制御が指示されたりするボタンである。
ここで、機器選択モードとは、本実施の形態に係るリモートコントロール装置が遠隔操作可能な複数の機器のうちのいずれの機器を遠隔操作するかを選択したり、各機器のうちのいずれかの機器の電源のオン／オフを制御するためのモードである。
また、リモコンモードとは、機器選択モードで選択された機器を遠隔操作するために、当該機器にリモコン信号を送信するモードである。
【００１９】
さらに、図１（ａ）、図２（ａ）及び図３（ａ）において、機器ボタン２６及びカラーボタン３１の下部には、チャンネルボタン３２、音量ボタン３３、選局ボタン３４、放送切換ボタン３５、巻き戻しボタン３６、再生ボタン３７、早送りボタン３８、スキップボタン３９、停止ボタン４０、一時停止ボタン４１、頭出しボタン４２、録画ボタン４３及び録画停止ボタン４４がそれぞれ設けられている。これらのボタンは、当該ボタンに本来付与された機能を果たす、即ち、選択されている機器を遠隔操作するために、当該機器にリモコン信号の送信を指示するために用いられる他、任意の２つのボタン、例えば、録画ボタン４３及び録画停止ボタン４４が、同時に所定時間（例えば、１秒）以上、いわゆる「長押し」されることにより、このリモートコントロール装置の電源の待機状態が指示される。ここで、待機状態とは、このリモートコントロール装置の制御部を構成する後述するＣＰＵが、そのほとんどの機能を停止し、消費電力を少なくしている状態である。この待機状態は所定のトリガーによって解除される。この例では、後述する振動検知部からＣＰＵに対して検知データが供給されたとき、ＣＰＵの待機状態が解除される。
以上説明した各種ボタンの例えば裏面（背面）には、図示しないが白色ＬＥＤ等からなる発光素子が設けられており、このリモートコントロール装置の使用時に連続点灯したり、点滅点灯したりするように構成されている。
【００２０】
次に、操作ユニット２の構成について、図４〜図６を参照して説明する。図４は、図１（ａ）に示すリモートコントロール装置において上部本体１ａを取り外した状態における外観構成を示す平面図、図５は、図２（ａ）に示すリモートコントロール装置において上部本体１ａを取り外した状態における外観構成を示す平面図である。図６は、図１に示すリモートコントロール装置において操作ユニット２が使用可能な状態における外観構成を示す一部斜視図である。
【００２１】
操作ユニット２は、図４及び図５に示すように、略円盤状を呈する円盤状部５１と、略立方体状を呈する立方体状部５２とが一体的に形成されて構成されている。円盤状部５１の略中央部には、貫通孔５１ａが穿設されている。一方、下部本体１ｂの中央よりやや上端部寄りの位置には、図４及び図５に示すように、円筒状を呈する軸５３が設けられており、操作ユニット２の貫通孔５１ａがこの軸５３に遊嵌されることにより、操作ユニット２が上部本体１ａと下部本体１ｂとの間で回動可能に構成されている。
【００２２】
円盤状部５１の立方体状部５２とは反対側の端部５１ｂの側面には、サブ方向キー５４が取り付けられている。サブ方向キー５４は、操作ユニット２が使用可能な状態に固定された際（図２（ａ）又は図３（ａ）参照）に、上記円盤状部５１の端部側面に沿った上下方向（図２（ａ）、図３（ａ）及び図５中ａ方向及びｂ方向）と、上記端部側面に向かう方向（図２（ａ）、図３（ａ）及び図５中ｃ方向）とに操作可能に構成されている。このサブ方向キー５４の操作とその操作に対応した機能の詳細については後述する。
【００２３】
また、円盤状部５１の端部５１ｃ及び５１ｄの各側面には、貫通孔５１ａを中心として対称な位置に、ホールＩＣ５５ａ及び５５ｂがそれぞれ取り付けられている。ホールＩＣ５５ａ及び５５ｂは、操作ユニット２が使用可能な位置（図２（ａ）又は図３（ａ）参照）まで回動されると、下部本体１ｂの端部近傍略中央に取り付けられた磁石５６が形成する磁界を検出し、それぞれ検出信号を図示せぬ制御部に供給する。図示せぬ制御部は、上記検出信号が入力されることにより初めて操作ユニット２を使用可能とし、かつ、液晶パネル５８に画面を表示する。これにより、操作者に使用意志がないにもかかわらず操作ユニット２が収納空間１ｃから取り出された場合でも、無駄な電力の消費を防止することができる。なお、操作ユニット２が図２（ａ）又は図３（ａ）の状態に移動し、いずれかのボタン（例えば、電源ボタン１１等）が操作された時に、液晶パネル５８に画面表示がなされるように構成しても良い。
【００２４】
さらに、円盤状部５１の端部５１ｃ及び５１ｄの近傍であって、操作ユニット２が収納空間１ｃに収納された状態において上部本体１ａにその表面が覆われずに操作者が操作ユニット２の表面を目視可能な位置、即ち、上部本体１ａのくびれ部１ａａの近傍には、青色ＬＥＤ５７ａ、 赤色ＬＥＤ５７ｂ、緑色ＬＥＤ５７ｃ及び黄色ＬＥＤ５７ｄが、各頭部が円盤状部５１の表面よりやや突出するように、はめ込まれている。青色ＬＥＤ５７ａ及び赤色ＬＥＤ５７ｂはホールＩＣ５５ａの近傍に、緑色ＬＥＤ５７ｃ及び黄色ＬＥＤ５７ｄはホールＩＣ５５ｂの近傍にそれぞれ設けられている。
【００２５】
立方体状部５２の略中央には、液晶パネル５８がはめ込まれているとともに、液晶パネル５８の表面には、タッチパネル５９が設けられている。タッチパネル５９は、光学方式、感圧方式、静電方式、あるいは超音波表面弾性波方式により、操作者の指が触れた位置を検出して検出信号を図示せぬ制御部に供給する。一方、立方体状部５２の端部近傍には、機器切換ボタン６０、ページ切換ボタン６１及び設定ボタン６２がそれぞれ設けられている。なお、操作ユニット２が図２に示す状態であっても、操作ユニット２が図３に示す状態であっても、液晶パネル５８には、複数の選択項目が同一の位置関係、即ち、上部本体１ａを中心として鏡面対称となる位置関係で表示されるように構成されている。
【００２６】
機器切換ボタン６０は、押下されることにより、このリモートコントロール装置により遠隔操作可能な複数の機器の中から制御対象である機器の切換が指示されるボタンである。ページ切換ボタン６１は、押下されることにより、液晶パネル５８に表示されている選択項目の一覧のページ単位の切換が指示されるボタンである。設定ボタン６２は、押下されることにより、設定メニュー画面（モード）とリモコン操作画面（モード）との切換が指示されるボタンである。設定メニュー画面（モード）は、制御対象である機器の追加又は削除やこのリモートコントロール装置自体に関する各種設定を行う画面（モード）である。一方、リモコン操作画面（モード）は、制御すべき機器を選択し、当該機器に対してリモコン信号を送信して各種の操作を行う画面（モード）である。なお、立方体状部５２には、図示しないが、タッチパネル５９が操作されたことにより、立方体状部５２を振動させるバイブレータが内蔵されている。後述する制御部（図示略）は、液晶パネル５８に表示された複数のコマンドボタンのうち、登録された機器や機能を表す文字等がその表面に表示されているコマンドボタンに対応したタッチパネル５９の部分が正しく押下された場合にそのことを示すためにバイブレータを駆動する。
【００２７】
立方体状部５２の円盤状部５１とは反対側の端部５２ａの側面には、図６に示すように、一端部５２ａａから略中央部まで及び他端部５２ａｂから略中央部までに案内溝６３ａ及び６３ｂがそれぞれ形成されているとともに、略中央部に有底穴６４が穿設されている。一方、下部本体１ｂの下端部近傍の略中央には、図４に示すように、材軸方向の上端部に向かって保持針６５が取り付けられ、ばね６６により上端方向に付勢されている。そして、例えば、操作ユニット２が図２に示す状態から、操作者が操作ユニット２を反時計回りに回動させて収納空間１ｃに収納させる際、まず、操作ユニット２を構成する立方体状部５２の他端部５２ａｂにおいて案内溝６３ｂの底部にばね６６により付勢された保持針６５が当接し、操作者が操作ユニット２を収納空間１ｃに押し込み続けることにより、操作ユニット２は、案内溝６３ｂの底部に保持針６５が当接しつつ移動する。そして、操作ユニット２が収納空間１ｃに完全に収納されると、保持針６５が案内溝６３ｂを乗り越えて有底穴６４に遊挿される。一方、例えば、操作ユニット２が図３に示す状態から収納空間１ｃに操作ユニット２を収納する場合には、操作ユニット２を時計回りに回動させれば良い。
【００２８】
図１（ａ）から分かるように、操作ユニット２は、その幅が上部本体１ａ及び下部本体１ｂのそれぞれの幅より僅かに広いため、立方体状部５２の一端部５２ａａ及び他端部５２ａｂが上部本体１ａ及び下部本体１ｂの下端部の左端及び右端から僅かに露出する。従って、操作ユニット２をリモートコントロール装置の収納空間１ｃから取り出す場合には、操作者は、操作ユニット２を構成する立方体状部５２の一端部５２ａａ又は他端部５２ａｂのうち、取り出す側と反対側の端部を収納空間１ｃ内に押し入れる。これにより、下部本体１ｂの下端部近傍の略中央に設けられている保持針６５の先端が、立方体状部５２の端部５２ａの側面略中央部に穿設された有底穴６４から押し出され、案内溝６３ａ又は６３ｂに侵入するとともに、操作ユニット２の取り出す側の端部が上部本体１ａ及び下部本体１ｂの下端部の左端又は右端から指でつまめるほど露出する（飛び出す）。従って、操作者は、例え、幼児や高齢者など指の力が弱くても、露出した部分を指でつまんで操作ユニット２を取り出すことができる。また、操作ユニット２を使用しない場合には、タッチパネル５９や液晶パネル５８の破損、汚れ、あるいは誤動作を防止することができる。さらに、本体１の形状を大きく変更する必要がないので、デザインを崩さなくてすむ。
【００２９】
このリモートコントロール装置は、既述した各種ボタン及び液晶パネル５８の他、図示しないが、制御部と、記憶部と、効果音発生部と、通信部等とを有している。制御部は、ＣＰＵ（中央処理装置）等からなり、記憶部に記憶されている各種制御プログラムに基づいて、各種処理を実行し、リモートコントロール装置の全体を制御する。即ち、例えば、制御プログラムが記憶部から読み出されると、制御部に読み込まれ、制御部の動作を制御する。制御部は、制御プログラムが起動されると、制御プログラムの制御により、各種処理を実行するのである。
【００３０】
記憶部は、ＲＡＭやＲＯＭ、あるいはフラッシュメモリ等の半導体メモリ等からなる。記憶部には、制御部が実行する各種プログラムの他、各種のデータが記憶される。効果音発生部は、制御部の制御の下、上部本体１ａを構成する各種ボタンが正しく操作された場合にその旨を示す所定の効果音を発生するとともに、上部本体１ａを構成する各種ボタン及びタッチパネル５９が誤って操作された場合等に警告音を発生する。通信部は、例えば、ＵＳＢ（Universal Serial Bus）インターフェイス等からなり、パーソナルコンピュータ（以下、「パソコン」と略する。）等とＵＳＢケーブルを介して接続されることにより、記憶部に記憶されているプログラムや制御コードのバージョンアップ等が行われる際に使用される。図６には、ＵＳＢコネクタ６７が示されている。
【００３１】
また、液晶パネル５８の例えば背面には、図示しないバックライト等が設けられ、液晶パネルを背面等から照明するようになっている。また、各種ボタンの例えば背面には、上述したように、図示しない例えば白色ＬＥＤ等が設けられ、各種ボタンを背面等から照明するようになっている。
【００３２】
また、例えば加速度センサ等からなり、振動を検知する図示しない振動検知部が設けられており、制御部に対して検知データを供給するようになっている。制御部は、振動検知部から供給された検知データに基づいて、リモートコントロール装置の振動の有無を判断するようになっている。
【００３３】
第１ファンクションボタン１５、第２ファンクションボタン１６、第３ファンクションボタン２２、第４ファンクションボタン２３、第５ファンクションボタン２４、第６ファンクションボタン２５（以下では、これらの第１ファンクションボタン１５、第２ファンクションボタン１６、第３ファンクションボタン２２、第４ファンクションボタン２３、第５ファンクションボタン２４、第６ファンクションボタン２５を特に区別しない場合には、適宜単にファンクションボタンと記載する）には、それぞれ、静電容量センサ等のセンサが設けられ、指等で触れられたことを検知し、検知信号を制御部に供給するようになっている。制御部は、各ファンクションボタンから供給される検知信号に基づいて、各ファンクションボタン毎に指等で触れられたことを認識するようになっている。
【００３４】
次に、図７のフローチャートを参照して、本実施の形態においてファンクションボタンが指等により触れられたときの処理手順について説明する。まず、ステップＳ１において、制御部により、各ファンクションボタンのうちのいずれかが指等で触れられたか否かが判定される。その結果、各ファンクションボタンのうちのいずれも指等で触れられていないと判定された場合、ステップＳ１の処理が繰り返し実行される。
【００３５】
一方、各ファンクションボタンのうちのいずれかが指等で触れられたと判定された場合、ステップＳ２に進む。ステップＳ２においては、制御部により、指等で触れられたファンクションボタンに対応する機能を示すデータがフラッシュメモリから読み取られ、ガイド画面を表示するための表示データが生成される。
【００３６】
次に、ステップＳ３において、制御部により、生成された表示データが液晶パネル５８に供給される。液晶パネル５８は、制御部より供給された表示データを表示する。
【００３７】
次に、ステップＳ４において、ステップＳ１において触れられたと判定されたファンクションボタンが引き続き指等で触れられている状況にあるか否かが判定される。その結果、引き続き指等で触れられている状況にあると判定された場合、ステップＳ３に戻り、ステップＳ３以降の処理が繰り返し実行される。
【００３８】
一方、ステップＳ１において触れられたと判定されたファンクションボタンがもはや指等で触れられていないと判定された場合、ステップＳ１に戻り、ステップＳ１以降の処理が繰り返し実行される。
【００３９】
例えば、図８に示すように、液晶パネル５８に所定のメニュー選択画面が表示されている状況において、図９に示すように、ユーザが指で第４ファンクションボタン２３に指で軽く触れると、制御部の制御により、第４ファンクションボタン２３の機能を表すガイド画面が液晶パネル５８に表示される。
【００４０】
この例では、各ファンクションボタンの機能を表す文字列および図形からなる模式図が表示され、指等で触れられたファンクションボタンに対応する図形が例えばハイライト表示されるなどして強調表示される。各ファンクションボタンは、それぞれファンクションボタンを表す図形と、その図形の中に表示されたそのファンクションボタンの機能を表す文字列とにより構成されている。各図形の配置は、各ファンクションボタンの実際の配置と対応しており、ガイド画面上の図形と実際のファンクションボタンとの対応が直感的に認識できるようになっている。
【００４１】
図９の例では、いま指で触れられている第４ファンクションボタン２３の機能は「裏番組」とされる。また、第１ファンクションボタン１５の機能は、「消音」とされる。また、第２ファンクションボタン１６の機能は、「メニュー」とされる。また、第３ファンクションボタン２２の機能は、「番組表」とされる。また、第５ファンクションボタン２４の機能は、「終了」とされる。また、第６ファンクションボタン２５の機能は、「戻る」とされる。
【００４２】
このように、ファンクションボタンに軽く触れるだけでそのファンクションボタンの機能を表示させることができるので、操作する前に実行される機能を確認することができる。また、必要なときにガイド画面を表示させることができるので、普段の操作の邪魔になることがない。
【００４３】
なお、上記実施の形態では、ファンクションボタンに触れたか否かを静電容量センサを用いて検知するようにしたが、半押しおよび全押しが可能なファンクションボタンを用い、ファンクションボタンが半押しされたことを検知したときにガイド画面を液晶パネル５８に表示させるようにすることもできる。
【００４４】
以上、この実施の形態を図面を参照して詳述してきたが、具体的な構成はこの実施の形態に限られるものではなく、本発明の要旨を逸脱しない範囲の設計の変更等があっても本発明に含まれる。
【図面の簡単な説明】
【００４５】
【図１】本発明の実施の形態に係るリモートコントロール装置において操作ユニットが本体に収納された状態における外観構成を示す図であり、（ａ）は平面図、（ｂ）は（ａ）の左側面図、（ｃ）は（ａ）の右側面図である。
【図２】図１に示すリモートコントロール装置において操作ユニットが使用可能な状態（右利き用）における外観構成を示す図であり、（ａ）は平面図、（ｂ）は（ａ）の左側面図、（ｃ）は（ａ）の右側面図である。
【図３】図１に示すリモートコントロール装置において操作ユニットが使用可能な状態（左利き用）における外観構成を示す図であり、（ａ）は平面図、（ｂ）は（ａ）の左側面図、（ｃ）は（ａ）の右側面図である。
【図４】図１（ａ）に示すリモートコントロール装置において上部本体１ａを取り外した状態における外観構成を示す平面図である。
【図５】図２（ａ）に示すリモートコントロール装置において上部本体１ａを取り外した状態における外観構成を示す平面図である。
【図６】図１に示すリモートコントロール装置において操作ユニットが使用可能な状態（右利き用）における外観構成を示す一部斜視図である。
【図７】本実施の形態においてガイド画面を表示する手順を説明するためのフローチャートである。
【図８】ファンクションボタンが指で触れられる前の液晶パネルの表示例を示す図である。
【図９】ファンクションボタンが指で触れられたときに液晶パネルに表示されるガイド画面を示す図である。
【符号の説明】
【００４６】
１  本体
１ａ  上部本体
１ａａ  くびれ部
１ｂ  下部本体
１ｃ  収納空間
２  操作ユニット
１１  電源ボタン
１２  入力切換ボタン
１３  画面表示ボタン
１４  消音ボタン
１５  第１ファンクションボタン
１６  第２ファンクションボタン
１７  ジョイスティック
１８  上カーソルボタン
１９  右カーソルボタン
２０  下カーソルボタン
２１  左カーソルボタン
２２  第３ファンクションボタン
２３  第４ファンクションボタン
２４  第５ファンクションボタン
２５  第６ファンクションボタン
２６  機器ボタン
２７  青色ボタン
２８  赤色ボタン
２９  緑色ボタン
３０  黄色ボタン
３１  カラーボタン
３２  チャンネルボタン
３３  音量ボタン
３４  選局ボタン
３５  放送切換ボタン
３６  巻き戻しボタン
３７  再生ボタン
３８  早送りボタン
３９  スキップボタン
４０  停止ボタン
４１  一時停止ボタン
４２  頭出しボタン
４３  録画ボタン
４４  録画停止ボタン
５１  円盤状部
５１ａ  貫通孔
５１ｂ，５１ｃ，５１ｄ，５２ａ  端部
５２  立方体状部
５２ａａ  一端部
５２ａｂ  他端部
５３  軸
５４  サブ方向キー
５５ａ，５５ｂ  ホールＩＣ
５６  磁石
５７ａ  青色ＬＥＤ
５７ｂ  赤色ＬＥＤ
５７ｃ  緑色ＬＥＤ
５７ｄ  黄色ＬＥＤ
５８  液晶パネル
５９  タッチパネル
６０  機器切換ボタン
６１  ページ切換ボタン
６２  設定ボタン
６３ａ，６３ｂ  案内溝
６４  有底穴
６５  保持針
６６  ばね
６７  ＵＳＢコネクタ
【図１】
2007228454.tif 000003
【図２】
2007228454.tif 000004
【図３】
2007228454.tif 000005
【図４】
2007228454.tif 000006
【図５】
2007228454.tif 000007
【図６】
2007228454.tif 000008
【図７】
2007228454.tif 000009
【図８】
2007228454.tif 000010
【図９】
2007228454.tif 000011